【事件の表示】
　平成　３年特許願第１２５７１８号「電話装置」拒絶査定に対する審判事件［平成　４年１２月　４日出願公開、特開平　４−３５１１４３］について、次のとおり審決する。
【結　論】
　本件審判の請求は、成り立たない。
【理　由】
１．手続の経緯、本願発明
　
　本願は、平成３年５月２９日の出願であって、請求項１に係る発明（以下、「本願発明」という。）は、平成１５年７月２５日付けの手続補正により補正された明細書及び図面の記載からみて、その特許請求の範囲の請求項１に記載された次の事項により特定されるものと認める。
　
　「テンキーの各々を独立して点灯・消灯させる手段と、可聴音を発生する手段と、短縮番号の指定操作に応じてメモリから対応する電話番号を読み出す手段と、この読み出された電話番号の数字順にその数字に対応するテンキーを点灯・消灯させるとともに、テンキーの点灯に同期して可聴音を発生し、消灯に同期して可聴音を停止させる制御手段を備えていることを特徴とする電話装置。」
　
２．刊行物記載の発明
　
　これに対して、当審における拒絶の理由で引用された実願昭６１−０４９４６０号（実開昭６２−１６１４５４号）のマイクロフィルム（昭和６２年１０月１４日出願公開、以下、「刊行物１」という。）には、次のような記載がある。
　
イ）「（ロ）従来の技術
　最近の電話機に於いては、発信する電話番号をメモリに複数個記憶しておき、簡単なキー操作でダイヤル発信を行なえ…液晶表示器を設け、入力された電話番号及び発信される電話番号を順次表示するように構成されているが、表示器を設けると表示器の設置場所を必要とし電話機の小型化が難しいと共にコストアップとなる為、一部の電話機にしか表示器は設けられていない。
　　（ハ）考案が解決しようとする問題点
　本考案は上述の問題点を解消すべくなされたもので、簡単なる構成により記憶されている電話番号の確認を順次行なうことが出来る電話機を提供するものである。」（明細書１頁１４行〜２頁１１行）
　
ロ）「（１）は電話回線（Ｌ）に接続されると共に、ハンドセット（２）が接続されたスピーチネットワーク回路で、ハンドセット（２）による通話信号の伝達制御を行なう。（３）はキーボード（４）より入力された電話番号データに基づきダイヤル発信制御を行なう制御回路で、プログラムメモリ（５）に予め記憶されている処理プログラムに従い制御を行なうマイクロプロセッサで構成されている。（６）はキーボード（４）より入力された複数の電話番号データを記憶するメモリで、データの書込み或は読み出しが制御回路（３）により行なわれる。（７）はダイヤル信号発生回路で、パルス或はトーンのダイヤル信号を発生するよう構成され、制御回路（３）の制御の下に発生したダイヤル信号をスピーチネットワーク回路（１）を介して電話回線（Ｌ）に送出する。又キーボード（４）のテンキーの各々にはＬＥＤ（８）（８）…が設けられ、制御回路（３）により点灯駆動されるよう構成されている。」（明細書３頁５行〜４頁２行）
　
ハ）「そして記憶させた電話番号が正しいか否かの確認を行なう場合には、♯キー（９）を２回操作し確認モードに設定した後、読み出したい電話番号が入力されているメモリ（６）の番地を指定する２桁の番号をキーボード（４）より入力する。例えば「０１」番地に「２３−２８８１」と記憶されている電話番号を読み出す場合には、♯♯０１と操作することにより、キー信号を取り込んだ制御回路（３）は、ステップ（Ｓ３）からステップ（Ｓ４）に進みメモリ（６）の「０１」番地から記憶されている電話番号データの「２３−２８８１」を読み出し、ステップ（Ｓ５）でキーボード（４）に信号を送り、先ずテンキー「２」のＬＥＤ（８）を所定時間点灯後、次にテンキー「３」のＬＥＤ（８）を所定時間点灯させる。続いてテンキー「２」「８」「８」「１」のＬＥＤ（８）を順次点灯させる。これにより操作者はメモリ（６）に記憶されている電話番号データを確認することができる。尚この時制御回路（３）はダイヤル信号発生回路（７）を駆動しないので、ダイヤル信号の発生はない。
　次にメモリ（６）に記憶されている電話番号により発信を行なう場合には、＊キー（１０）を操作し読み出しモードに設定した後、発信したい電話番号が記憶されているメモリ（６）の番地を指定する２桁の番号をキーボード（４）より入力する。例えば先程の「２３−２８８１」に発信する場合には、＊０１と操作することにより、キー信号を取り込んだ制御回路（３）は、ステップ（Ｓ７）からステップ（Ｓ８）に進みメモリ（６）の「０１」番地から記憶されている電話番号データの「２３−２８８１」を読み出し、ダイヤル信号発生回路（７）を駆動して、メモリ（６）より読み出した電話番号に応じたダイヤル信号を順次発生する。この時前述と同様に制御回路（３）はキーボード（４）に信号を送り、ダイヤル発信されている番号に対応したテンキーのＬＥＤ（８）を順次点灯駆動するので、操作者はダイヤル発信されている番号を確認することができる。」（明細書５頁６行〜７頁３行）
　
ニ）第２図のフローチャートには、「ステップ（Ｓ７）　＊キー？　Ｙ」に続くステップとして、「ステップ（Ｓ８）　メモリより電話番号読み出し、ステップ（Ｓ９）　ダイヤル発信、ステップ（Ｓ１０）　ＬＥＤを順次点灯」が記載されている。
　
　これらの記載によれば、刊行物１には、次の発明（以下、「刊行物１記載の発明」という。）が記載されているものと認められる。
　
　「テンキー（３）の各々に設けられた所定時間順次点灯するＬＥＤ（８）（８）…と、
　トーンのダイヤル信号を発生するよう構成されたダイヤル信号発生回路（７）と、
　＊キー（１０）を操作し、２桁の番号（例えば「＊０１」）を入力するステップ（Ｓ７）、
　「＊０１」の入力に応じてメモリ（６）より電話番号データの「２３−２８８１」を読み出すステップ（Ｓ８）と、
　ダイヤル信号発生回路（７）を駆動して、メモリ（６）より読み出した電話番号に応じたダイヤル信号を順次発生するステップ（Ｓ９）と、
　この時、テンキー「２」「３」「２」「８」「８」「１」のＬＥＤ（８）を所定時間順次点灯させるステップ（Ｓ１０）を備えている電話機。」
　
　また、当審における拒絶の理由で引用された特開昭６２−２９３８５９号公報（昭和６２年１２月２１日出願公開、以下、「刊行物２」という。）には、次のような記載がある。
　
イ）「［産業上の利用分野］
　本発明は押しボタンダイヤル電話機に関し、特に複数の押しボタンを有し押下した時にそれぞれ対応した所定の信号を出力する押しボタンダイヤル電話機に関する。
［従来の技術］
　従来、この種の押しボタンダイヤル電話機は、目的の押しボタンが指先で確かに押下されたことを目で確認し、さらに押下時に発生するプッシュトーンやダイヤル信号の変化音等を耳で聞き取り認識する構成となっていた」（公報１頁右下欄２〜１２行）
　
ロ）「ダイヤル回路１は、複数の押しボタン１１を備え、これらの押しボタン１１が押下されると、各押しボタン１１に対応してそれぞれ定められた信号を出力する。押下検出回路２は…押しボタン１１の何れが押下されたかを識別する押しボタン識別信号を出力する。
　タイマ回路３は、押下検出信号を入力し、所定のパルス幅のパルス信号を出力する。表示回路４は、表示駆動部４１と各押しボタン１１に対応する位置にそれぞれ設けられた複数の視覚表示素子４２とを備え、押しボタン識別信号とタイマ回路３からの出力パルス信号とを入力し、押下された押しボタンの位置を出力パルス信号のパルス幅で定める時間だけ表示する。」（公報２頁右上欄９行〜左下欄４行）
　
ハ）「［発明の効果］
　以上説明したように本発明は、各押しボタンに対応する視覚表示素子をそれぞれ設け、押下された押しボタンの位置を所定時間表示することにより、押下された押しボタンが何れであるかが視覚によりすぐに判断でき、押下操作の確認を容易かつ確実にできる効果がある。」（公報２頁左下欄１４〜２０行）
　
　これらの記載によれば、刊行物２には、
　「複数の押しボタン１１の押下時に、それぞれ対応した所定のプッシュトーンやダイヤル信号を発生し、複数の押しボタン１１に対応する位置にそれぞれ設けられた複数の視覚表示素子４２を所定時間表示させるとともに、押しボタン１１の押下時に発生するプッシュトーンやダイヤル信号を耳で聞き取り認識する構成により、押下操作の確認を容易かつ確実にできる押しボタンダイヤル電話機」
が記載されているものと認められる。
　
３．本願発明と刊行物１記載の発明との比較
　
　そこで、本願発明と刊行物１記載の発明とを比較する。
　
（１）刊行物１記載の発明の「テンキー（３）の各々に設けられた所定時間順次点灯するＬＥＤ（８）（８）…」、「＊キー（１０）を操作し、２桁の番号（例えば「＊０１」）を入力すること」、「メモリ（６）より電話番号データの「２３−２８８１」を読み出すステップ（Ｓ８）」、「電話機」が、それぞれ本願発明の「テンキーの各々を独立して点灯・消灯させる手段」、「短縮番号の指定操作」、「メモリから対応する電話番号を読み出す手段」、「電話装置」に相当している。
　また、刊行物１記載の発明の「トーンのダイヤル信号」が可聴音であることは技術常識であるから、刊行物１記載の発明の「トーンのダイヤル信号を発生するよう構成されたダイヤル信号発生回路（７）」が本願発明の「可聴音を発生する手段」に相当することは明らかである。
　さらに、刊行物１記載の発明の「テンキー「２」「３」「２」「８」「８」「１」」は短縮番号の指定操作（「＊０１」）に応じてメモリから読み出された電話番号の数字順にその数字に対応するテンキーであるから、刊行物１記載の発明の「ダイヤル信号発生回路（７）を駆動して、メモリ（６）より読み出した電話番号に応じたダイヤル信号を順次発生するステップ（Ｓ９）と、この時、テンキー「２」「３」「２」「８」「８」「１」のＬＥＤ（８）を所定時間順次点灯させるステップ（Ｓ１０）」と本願発明の「この読み出された電話番号の数字順にその数字に対応するテンキーを点灯・消灯させるとともに、テンキーの点灯に同期して可聴音を発生し、消灯に同期して可聴音を停止させる制御手段」とは、「この読み出された電話番号の数字順にその数字に対応するテンキーを点灯・消灯させ、可聴音を発生・停止させる制御手段」である点で一致するものであるから、本願発明と刊行物１記載の発明とは、以下の点で一致ないし相違する。
　
（２）一致点
　
　　テンキーの各々を独立して点灯・消灯させる手段と、可聴音を発生する手段と、短縮番号の指定操作に応じてメモリから対応する電話番号を読み出す手段と、この読み出された電話番号の数字順にその数字に対応するテンキーを点灯・消灯させ、可聴音を発生・停止させる制御手段を備えている電話装置である点。
　
（３）相違点
　
　読み出された電話番号の数字順にその数字に対応するテンキーを点灯・消灯させ、可聴音を発生・停止させる制御手段が、本願発明では、テンキーの点灯に同期して可聴音を発生し、消灯に同期して可聴音を停止させるのに対して、刊行物１記載の発明では、読み出された電話番号の数字順にその数字に対応するテンキーの点灯・消灯と可聴音の発生・停止が同期している否か明らかでない点。
　
４．相違点の検討
　
　刊行物２記載の「複数の押しボタン１１」、「プッシュトーンやダイヤル信号」、「押しボタンダイヤル電話機」が、本願発明の「テンキー」、「可聴音」、「電話装置」に相当している。
　また、テンキーの点灯・消灯と、可聴音の発生・停止との関係について、本願明細書には、
　「図３のタイミングチャートに示すように、先ず、０番キーに対応するLED１３を２秒間点灯させると共に可聴音を２秒間鳴らし、１秒間待機した後、次の７番キーに対応するLED１３を２秒間点灯させると共に可聴音を２秒間鳴らすといった態様で、光と音により電話番号の数字が順に示されていくこととなる。」（段落【００１３】）
と記載されているので、本願発明の「テンキーの点灯に同期して可聴音を発生し、消灯に同期して可聴音を停止させる」という構成の「に同期して」は「と共に」と同じような意味と解釈できる。
　一方、刊行物２記載の押しボタンダイヤル電話機において、複数の押しボタン１１の各々の押下時に、それぞれ対応した所定のプッシュトーンやダイヤル信号を発生し、複数の押しボタン１１に対応する位置にそれぞれ設けられた複数の視覚表示素子４２が所定時間表示しているから、刊行物２には、「電話番号の数字順にその数字に対応するテンキーを点灯・消灯させると共に、可聴音を発生・停止させることにより、確認を容易かつ確実にする電話装置。」（以下、「刊行物２記載の発明」という。）が記載されているものと認められる。
　よって、刊行物１記載の発明の読み出された電話番号の数字順にその数字に対応するテンキーを点灯・消灯させ、可聴音を発生・停止させる制御手段に、確認を容易かつ確実にするために、刊行物２記載の発明のようにテンキーの点灯・消灯と共に可聴音を発生・停止させることは、当業者が容易に想到することである。
　なお、テンキーの点灯時間、可聴音の発生時間、待機時間をどの程度の長さにするかは、当業者が適宜なし得る設計事項にすぎず、本願発明の実施例（第３図、段落【００１３】参照）のようにテンキーの点灯時間と可聴音の発生時間の両者を同じ長さにすることにも、格別の困難性は認められない。
　
５．むすび
　
　したがって、本願発明は、刊行物１記載の発明及び刊行物２記載の発明に基づいて当業者が容易に発明をすることができたものと認められるから特許法第２９条第２項の規定によって特許を受けることができない。